(57)【特許請求の範囲】
【請求項１】
＋端子と−端子の一対の接続端子を有し、前記＋端子に監視用電圧を印加して前記＋端子と前記−端の両端電圧を検出する監視装置と、
第１の端子と第２の端子を有する終端抵抗と、
前記＋端子と前記第１の端子との間の第１の信号線と、前記−端子と前記第２の端子のとの間の第２の信号線とを介して接続される少なくとも１つの検知センサと、
を備える監視システムにおいて、
前記検知センサは、監視空間の状態変化や機器異常を検知して検知信号を出力するものであって、
前記第１の信号線と接続される第１の監視側端子と第１の終端側端子との間の第１の内部配線と、前記第２の信号線と接続される第２の監視側端子と第２の終端側端子との間の第２の内部配線との間に接続される第３の内部配線に直列接続され、前記監視空間の状態変化を検知したときにＯＮする第１スイッチング手段と、
前記第１の内部配線又は前記第２の内部配線に対して前記第３の内部配線を中心として対称に直列接続され、機器異常を検知したときにＯＦＦする第２スイッチング手段及び第３スイッチング手段とを含み、
前記監視装置は、通常状態、短絡状態、断線状態の何れかのシステム状態であるかを判別するため閾値範囲がそれぞれの状態に応じて異なる範囲に設定される状態判別用閾値と、前記監視用電圧の印加によって検出した前記両端電圧とを照合して現在の状態を判別することを特徴とする監視システム。
【請求項２】
前記第１〜第３スイッチング手段は何れも電界効果トランジスタからなり、
前記第１スイッチング手段のドレインが前記第１の内部配線に接続されるとともに、ソースが前記第２の内部配線に接続され、
前記第２スイッチング手段と前記第３スイッチング手段のソース同士が接続されることを特徴とする請求項１記載の監視システム。
【請求項３】
カソードが前記第１の内部配線側に向いた状態で、前記第１スイッチング手段に並列接続されるショットキーダイオードを備えたことを特徴とする請求項１又は２に記載の監視システム。
【発明の詳細な説明】
【技術分野】
【０００１】
本発明は、監視空間内の変化（例えば、人体の侵入、火災（煙）の発生、窓ガラスの破壊）を検知する監視システムに関するものである。
【背景技術】
【０００２】
従来より、オフィスビル、家屋、工場などの建物における防犯・防災を目的として、設定した監視空間内に生じた所定の変化（一例として、監視空間内への不審者の侵入、監視空間内における火災（煙）の有無、監視空間内に設けられた窓ガラスの破壊検知など）を検知する監視システムとして、例えば下記特許文献１に開示されるシステムが知られている。
【０００３】
この監視システムは、監視空間内で生じた変化を検出して発報する異常検出器と、異常検出器による発報を認識して異常発生の有無を判定し、通信回線を介して異常が発生した旨を外部に通知する監視装置とで構成されている。
【０００４】
異常検出器は、監視装置と終端抵抗とを繋ぐ一対の信号線上に複数配設され、異常検出器は、監視空間への不審者の侵入や火災の発生等の異常を検出すると、監視装置と終端抵抗との間で一対の信号線を短絡させることにより監視装置へ異常を移報する。そのため、一対の信号線の間を電気的に導通／遮断した状態とする短絡移報回路と、短絡移報回路よりも終端抵抗側に配置され一方の内部信号線において前段の信号線と後段の信号線との導通／遮断した状態とする断線移報回路とを備えている。
【０００５】
また、監視装置は、一対の信号線間に所定の監視電圧を印加し、検出した抵抗値に基づいて異常検出器が異常を検出している検出状態（正常、短絡、断線）であるか否かを認識している。ここで、異常検出器が検出する検出状態のうち、「正常」とは監視空間内で変化が生じておらず、正しく設置されている状態であり、「短絡」とは監視空間内で所定の変化が生じた状態であり、「断線」とは天井や壁に取り付けられる異常検出器が取り外されたり信号線の一部が断線した状態である。
【先行技術文献】
【特許文献】
【０００６】
【特許文献１】特許第４８２５５４９号
【発明の概要】
【発明が解決しようとする課題】
【０００７】
ところで、特許文献１の監視システムでは、任意の位置に取り付け可能な構成とするため、異常検出器の駆動電源を電池やバッテリーのような内部電源を用いているが、内部電源には限りがあるため、消費電力を極力抑えたいという要望がある。また、この種の異常検出器は天井や壁などに取り付けることが多いため、機器サイズを小型化したいという要望もある。
【０００８】
そこで、機器の省電力化と小型化を図るため、異常検出器における短絡移報回路と断線移報回路を機械式リレーからＦＥＴ（電界効果トランジスタ）に変更することが考えられる。図８（ａ）には、機械式リレーからＦＥＴに変更したときの異常検出器における回路構成を簡略化して示している。
【０００９】
しかしながら、機械式リレーからＦＥＴに変更した場合、例えば図８（ｂ）に示すように、取り付けの際に、図８（ａ）に示す接続端子Ａ〜Ｄのうち、接続端子Ｃと接続端子Ｄを逆接続してしまうと、断線移報回路のドレインとソースが逆に接続されて極性が逆になってしまう。
【００１０】
そのため、異常検出器が天井から取り外され信号線の一部が断線すると、通常流れない電流が、寄生ダイオードを通じて流れてしまい、監視装置において断線と判別されずに正常であると誤判別されてしまうという問題があった。
【００１１】
このように、特許文献１の異常検出器による回路構成において省電力化と小型化を図ろうとすると、信号線と接続される接続端子が誤接続された状態でシステム運用されてしまうと、機器異常や監視空間内の状態変化を正しく監視することができない虞があった。
【００１２】
そこで、本発明は、上記課題を鑑みてなされたものであり、省電力化と小型化を図りつつ、配線接続時の誤接続の検出精度を高めて監視空間における状態変化や機器異常の誤検知を抑制することのできる監視システムを提供することを目的としている。
【課題を解決するための手段】
【００１３】
上記した目的を達成するため、本発明に係る第１の態様は、＋端子と−端子の一対の接続端子を有し、前記＋端子に監視用電圧を印加して前記＋端子と前記−端の両端電圧を検出する監視装置と、
第１の端子と第２の端子を有する終端抵抗と、
前記＋端子と前記第１の端子との間の第１の信号線と、前記−端子と前記第２の端子のとの間の第２の信号線とを介して接続される少なくとも１つの検知センサと、
を備える監視システムにおいて、
前記検知センサは、監視空間の状態変化や機器異常を検知して検知信号を出力するものであって、
前記第１の信号線と接続される第１の監視側端子と第１の終端側端子との間の第１の内部配線と、前記第２の信号線と接続される第２の監視側端子と第２の終端側端子との間の第２の内部配線との間に接続される第３の内部配線に直列接続され、前記監視空間の状態変化を検知したときにＯＮする第１スイッチング手段と、
前記第１の内部配線又は前記第２の内部配線に対して前記第３の内部配線を中心として対称に直列接続され、機器異常を検知したときにＯＦＦする第２スイッチング手段及び第３スイッチング手段とを含み、
前記監視装置は、通常状態、短絡状態、断線状態の何れかのシステム状態であるかを判別するため閾値範囲がそれぞれの状態に応じて異なる範囲に設定される状態判別用閾値と、前記監視用電圧の印加によって検出した前記両端電圧とを照合して現在の状態を判別することを特徴とする、監視システムである。
【００１４】
また、本発明に係る第２の態様は、第１の態様に係る監視システムにおいて、前記第１〜第３スイッチング手段は何れも電界効果トランジスタからなり、
前記第１スイッチング手段のドレインが前記第１の内部配線に接続されるとともに、ソースが前記第２の内部配線に接続され、
前記第２スイッチング手段と前記第３スイッチング手段のソース同士が接続されることを特徴とする、監視システムである。
【００１５】
また、本発明に係る第３の態様は、第１又は第２の態様に係る監視システムにおいて、カソードが前記第１の内部配線側に向いた状態で、前記第１スイッチング手段に並列接続されるショットキーダイオードを備えたことを特徴とする、監視システムである。
【発明の効果】
【００１６】
本発明によれば、検知センサの構成として、第１の監視側端子と第１の終端側端子の間の第１の内部配線と、第２の監視側端子と第２の終端側端子との間の第２の内部配線との間に接続される第３の内部配線に直列接続され、監視空間の状態変化を検知したときにＯＮする第１スイッチング手段５と、第１の内部配線又は第２の内部配線に対して第３の内部配線を中心として対称に直列接続され、機器異常を検知したときにＯＦＦする第２スイッチング手段及び第３スイッチング手段とを含むため、監視装置において監視用電圧を監視することで、配線接続時の誤接続の検出精度を高めて監視空間における状態変化や機器異常の誤検知を抑制することができる。
【００１７】
また、第１〜第３スイッチング手段をＦＥＴ（電界効果トランジスタ）とすることで、消費電力を抑えつつ、検知センサの小型化を図ることができる。特に、検知センサのような内部電源によって駆動する機器の場合に有効である。
【図面の簡単な説明】
【００１８】
【図１】本発明に係る監視システムの概略構成図である。
【図２】検知センサの状態判別用回路の回路構成を概略的に示した図である。
【図３】（ａ）〜（ｃ）は図２の回路構成におけるシステム状態例を示した図である。
【図４】上下逆接続された検知センサの概略を示す回路構成図である。
【図５】（ａ）〜（ｃ）は図５の回路構成におけるシステム状態例を示した図である。
【図６】斜め逆接続された検知センサの概略を示す回路構成図である。
【図７】（ａ）〜（ｃ）は図７の回路構成におけるシステム状態例を示した図である。
【図８】（ａ）は従来の監視システムにおける短絡移報回路と断線移報回路を機械式リレーからＦＥＴに変更したときの回路構成図であり、（ｂ）は（ａ）に示す回路を誤接続した状態を示す回路構成図である。
【発明を実施するための形態】
【００１９】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などは全て本発明の範疇に含まれる。
【００２０】
本発明に係る監視システム１は、例えばオフィスビル・住宅・公共施設のような建物の屋内外に設定された所定の監視空間（床面又は地面から所定高さまでの３次元空間）内に生じた状態変化（人体の侵入、火災（煙）の発生、建物の窓や出入口のガラス破損など）や機器異常（検知センサ１０が取付位置から離脱された状態や機器間の配線トラブルなど）を検知するために導入されるシステムである。
【００２１】
また、監視システム１では、監視システム１のシステム状態として、通常状態（監視空間内に状態変化が生じておらず、また検知センサ１０も正常に作動している状態）、短絡状態（監視空間内に所定の変化が生じた状態）、断線状態（検知センサ１０が取り外された状態又はシステム内の信号線や配線が断線した状態）の３つの状態を監視装置２０によって監視する。そして、監視装置２０が短絡状態や断線状態になったと判断すると、有線又は無線通信によって電気通信網（電話回線網、移動体通信網、インターネットのようなコンピュータネットワークなど）を介して外部の通報対象（監視センタや監視員など）に報知されるようになっている。
【００２２】
まず、図１、２を参照しながら、本実施形態の監視システム１の構成について説明する。
図１に示すように、監視システム１は、設定された監視空間内で生じた所定の状態変化を検知する検知センサ１０と、接続される検知センサ１０で検知された監視空間内の状態変化の有無やシステム内の機器異常の発生の有無を監視する監視装置２０とで概略構成されている。本実施形態では、監視空間内における人体の侵入（有無）とするため、検知センサ１０は人体検知センサとして機能する。
【００２３】
また、図１、図２に示すように、一端が監視装置２０の＋端子２０ａと接続され他端が終端抵抗３０の第１の端子３０ａと接続される第１の信号線Ｓ１と、一端が監視装置２０の−端子２０ｂと接続され、他端が終端抵抗３０の第２の端子３０ｂと接続される第２の信号線Ｓ２とを監視装置２０と終端抵抗３０との間に接続し、この一対の信号線Ｓに対して検知センサ１０が並列接続されている構成となっている。
【００２４】
なお、図１の実施形態では、監視装置２０と終端抵抗３０との間に接続される一対の信号線Ｓに対し、検知センサ１０を１つ接続した構成例であるが、検知センサ１０の接続数は１つに限定されずに監視システム１の規模に応じて任意の台数を接続することができる。また、図１では、監視装置２０に対して一対の信号線Ｓに１又は複数の検知センサ１０を並列接続させているが、こちらも監視空間の規模に応じて複数対の信号線Ｓを敷設することもできる。
【００２５】
検知センサ１０は、監視空間内の状態変化として該空間への人体の侵入（有無）を検知する人体検知用の状態変化検知手段１１と、例えばセンサ本体の取付板から離脱されるような機器異常を検知する異常検知手段１２と、検知センサ１０による人体検知したときや例えばセンサ本体の取付板から離脱されるような機器異常を検知したときの機器異常を検知したときにこれらの状態を示す状態信号と監視装置２０に出力する状態判別用回路１３と、検知センサ１０を構成する各部の駆動制御を行う制御部１４とを備えている。
【００２６】
本実施形態による検知センサ１０は人体検知センサとして機能するため、監視空間内に侵入した人体を検知可能とする構成部品を筐体（例えば半球形状）内に収容し、監視空間が監視可能な位置（例えば天井や壁の上方）に設置される。
【００２７】
さらに、検知センサ１０は、電源配線の引き回しによる取付位置の制限を極力少なくするため、電池（一次電池、二次電池を問わず）からなる内蔵型の電源部（図示せず）から供給される。
【００２８】
状態変化検知手段１１は、監視空間内に侵入する人体から放射される赤外線を検出するサーモパイルや焦電素子のような赤外線検出素子で検出した赤外線が所定の閾値を超えているか否かを判断して監視空間内の人体の有無を判別し、その判別結果を制御部１４に出力する。状態変化検知手段１１は、監視空間内に人体の侵入（有無）を検知すると、この検知結果を示す人体検知信号を制御部１４に出力する。
【００２９】
なお、本実施形態では、検知センサ１０が人体検知センサとして機能するため、状態変化検知手段１１が監視空間内の人体の有無を検知する構成となっているが、検知対象となる事象が異なれば、その事象に応じた検知機能を有する構成となる。
【００３０】
異常検知手段１２は、検知センサ１０の筐体が、該センサの設置箇所に配設される図示しない取付板から離脱されたときに、この離脱行為を機器異常として検知する。異常検知手段１２は、機器異常を検知すると、その検知結果を示す異常検知信号を制御部１４に出力する。
【００３１】
状態判別用回路１３は、状態変化検知手段１１によって人体が検知されるような監視空間内に状態変化が検知されたときや、検知センサ１０が図示しない取付板から取り外されるような機器異常が検知されたときにこれら異常を検知するため、監視装置２０で監視される監視用電圧が所定の閾値の範囲内に入るように制御される回路である。
【００３２】
状態判別用回路１３の具体的な回路構成を、図２に示す。図示のように、状態判別用回路１３は、監視装置２０と終端抵抗３０との間に接続される第１の信号線Ｓ１と第２の信号線Ｓ２と並列接続され、第１の信号線Ｓ１と接続する接続端子である第１の監視側端子１３ａ及び第１の終端側端子１３ｂと、第２の信号線Ｓ２と接続される接続端子として機能する第２の監視側端子１３ｃ及び第２の終端側端子１３ｄとを備えている。
【００３３】
また、第１の監視側端子１３ａと第１の終端側端子１３ｂとの間には第１の内部配線１３ｅが配線され、第２の監視側端子１３ｃと第２の終端側端子１３ｄとの間には第２の内部配線１３ｆが配線され、第１の内部配線１３ｅと第２の内部配線１３ｆとの間には第３の内部配線１３ｇが配線されている。
【００３４】
また、第１の信号線Ｓ１と第２の信号線Ｓ２との間を電気的に導通させるため、ＦＥＴ（電界効果トランジスタ）からなる第１スイッチング手段１５が第３の内部配線１３ｇに対して直列接続されている。第１スイッチング手段１５は、ドレインが第１の内部配線１３ｅと接続され、ソースが第２の内部配線１３ｆと接続されている。
【００３５】
さらに、第３の内部配線１３ｇには、カソードを第１の内部配線１３ｅ側に向けた状態のショットキーダイオード１５ａが、第１スイッチング手段１５と並列接続されている。このショットキーダイオード１５ａは、検知センサ１０が信号線Ｓに対して誤接続された際に、短絡して監視装置２０が通常状態であると判別しないようにするために設けられている。
【００３６】
また、第１の内部配線１３ｅ又は第２の内部配線１３ｆにおいて、前段又は後段の信号線Ｓを電気的に導通させるため、ＦＥＴ（電界効果トランジスタ）からなる第２スイッチング手段１６と第３スイッチング手段１７が、第３の内部配線１３ｇを中心として対称に直列接続されている。
【００３７】
すなわち、図２に示すように、第２の内部配線１３ｆに対し、第３の内部配線１３ｇを中心として第２スイッチング手段１６と第３スイッチング手段１７のソース同士が接続されるように対称配置されている。よって、第２スイッチング手段１６のドレインは、第２の終端側端子１３ｄと接続し、第３スイッチング手段１７のドレインは、第２の監視側端子１３ｃと接続されることになる。
【００３８】
制御部１４は、図示しない主記憶装置に記憶される制御プログラムなど読み込んで検知センサ１０を構成する各部の駆動制御を実行するＣＰＵ（Central Processing Unit ）などのプロセッサで構成される。
【００３９】
制御部１４は、状態変化検知手段１１が人体を検知したときに出力する人体検知信号を入力すると、第１スイッチング手段１５に対して制御信号（図中における矢印Ａ）を出力する。これにより、第１スイッチング手段１５がＯＮ状態となり、第１の内部配線１３ｅから終端抵抗３０を通らず第２の内部配線１３ｆに導通させることができるため、監視装置２０は検知センサ１０で人体検知されたことが認識可能となる。
【００４０】
また、制御部１４は、検知センサ１０が取付板から取り外される離脱行為がなされたことを異常検知手段１２が検知したときに出力される異常検知信号を入力すると、第２スイッチング手段１６及び第３スイッチング手段１７に対して制御信号（図中における矢印Ｂ）を出力する。これにより、第２スイッチング手段１６及び第３スイッチング手段１７がＯＦＦ状態となり、第２スイッチング手段１６及び第３スイッチング手段１７が接続される第１の内部配線１３ｅ（又は第２の内部配線１３ｆ）の導通状態を遮断させることができるため、監視装置２０は検知センサ１０が離脱行為によって取り外されたことが認識可能となる。なお、検知センサ１０の取り付け後は、異常検知手段１２が異常を検知しない限り、第２スイッチング手段１６、第３スイッチング手段１７には共にＯＮ状態となる制御信号が出力され続ける。
【００４１】
監視装置２０は、電源供給部２１からの電源を所定電圧に変換した監視用電圧を＋端子２０ａに印加し、そのときの＋端子２０ａと−端子２０ｂとの両端電圧を検出して現在のシステム状態を判別する判別処理部２２と、判別処理部２２で判別された現在のシステム状態に応じた所定の表示内容を表示する表示部２３と、システム異常が発生した際にその旨を報知する報知部２４と、監視システム１運用上の機器設定などを行う操作設定部２５と、監視システム１に異常が発生した際に外部の通報対象（監視センタや監視員など）に電気通信網を介して通知する通信部２６と、を備えている。
【００４２】
判別処理部２２による状態判別処理としては、通常状態（監視空間内に人体の侵入が無く、検知センサ１０の取り外しやシステム内の断線の無く正常に作動している状態）、短絡状態（監視空間内に人体が存在する状態）、断線状態（検知センサ１０が取り外された状態又はシステム内の信号線や配線が断線した状態）の３つの状態に応じた閾値を状態判別用閾値（電圧値）として予め設定する。そして、判別処理部２２は、電源供給部２１からの電源を所定電圧に変換した監視用電圧を＋端子２０ａに印加し、そのときの＋端子２０ａと−端子２０ｂとの両端電圧を検出し、この検出した電圧値と、予め設定した状態判別用閾値と照合して現在のシステム状態を判別する。
【００４３】
なお、本実施形態では、＋端子２０ａと−端子２０ｂの両端電圧と状態判別用閾値とを照合して現在のシステム状態を判別しているが、例えば両端電圧を抵抗値に換算し、また状態判別用閾値を通常、短絡、断線の３つの状態に応じた抵抗値で設定し、両者の抵抗値を比較して現在のシステム状態を判別するようにしてもよい。
【００４４】
終端抵抗３０は、第１の信号線Ｓ１と接続される第１の端子３０ａと、第２の信号線Ｓ２と接続される第２の端子３０ｂとを備えている。また、終端抵抗３０の抵抗値は任意であるが、例えば本システムの消費電力を抑制させる場合は、抵抗値を高めに設定すればよい。
【００４５】
次に、上述した監視システム１において、検知センサ１０の接続状態に基づくシステム状態の判別処理について、図２〜７を参照しながら説明する。
【００４６】
＜正常接続時の判別処理＞
図２に示すように、正常接続された検知センサ１０は、第１の監視側端子１３ａと第１の終端側端子１３ｂが正しい位置で第１の信号線Ｓ１と接続され、第２の監視側端子１３ｃと第２の終端側端子１３ｄが正しい位置で第２の信号線Ｓ２と接続されている。つまり、検知センサ１０が正しく取り付けられている状態である。
【００４７】
（通常状態）
通常状態のときは、第１スイッチング手段１５がＯＦＦ状態となり、第２スイッチング手段１６及び第３スイッチング手段１７がＯＮ状態となるため、第１の内部配線１３ｅ、第２の内部配線１３ｆは導通し、第３の内部配線１３ｇは導通しない。
そして、この通常状態において、監視用電圧が＋端子２０ａに印加されると、図３（ａ）に示すように、図中太矢印方向に沿って＋端子２０ａから終端抵抗３０を経由し、第２スイッチング手段１６及び第３スイッチング手段１７を通過して−端子２０ｂへと電流（図中の一点鎖線矢印）が流れる。
【００４８】
監視装置２０は、このときの両端電圧を検出し、予め設定される状態判別用閾値と照合して現在のシステム状態が通常状態であると判別する。
【００４９】
（短絡状態）
短絡状態のときは、第１スイッチング手段１５がＯＮ状態となり、第２スイッチング手段１６及び第３スイッチング手段１７がＯＮ状態となるため、第１の内部配線１３ｅ、第２の内部配線１３ｆ及び第３の内部配線１３ｇは共に導通される。
そして、この短絡状態において、監視用電圧が＋端子２０ａに印加されると、図３（ｂ）に示すように、図中太矢印方向に沿って＋端子２０ａから第１スイッチング手段１５を経由し、第３スイッチング手段１７を通過して−端子２０ｂへと電流（図中の一点鎖線矢印）が流れる。
【００５０】
監視装置２０は、このときの両端電圧を検出し、予め設定される状態判別用閾値と照合して現在のシステム状態が短絡状態であると判別する。
【００５１】
（断線状態）
断線状態のときは、第１スイッチング手段１５がＯＦＦ状態となり、第２スイッチング手段１６及び第３スイッチング手段１７もＯＦＦ状態となるため、第１の内部配線１３ｅ、第２の内部配線１３ｆ及び第３の内部配線１３ｇは共に導通しない。
そして、この断線状態において、監視用電圧が＋端子２０ａに印加されると、図３（ｃ）に示すように、第１スイッチング手段１５、第２スイッチング手段１６、第３スイッチング手段１７が共にＯＦＦ状態となり電流が流れない。また、検知センサ１０が取り外されたような状態で人体が検知されると、第１スイッチング手段１５はＯＮ状態となるが、第２スイッチング手段１６や第３スイッチング手段１７がＯＦＦ状態となるため、電流は流れない。
【００５２】
監視装置２０は、このときの両端電圧を検出し、予め設定される状態判別用閾値と照合して現在のシステム状態が断線状態であると判別する。
【００５３】
このように、正常接続で接続された検知センサ１０では、通常状態、短絡状態、断線状態を正しく判別することができる。
【００５４】
なお、図２に示す正常接続において、第１の監視側端子１３ａと第１の終端側端子１３ｂとが逆に接続されさらに第２の監視側端子１３ｃと第２の終端側端子１３ｄとが逆に接続された状態、第１の監視側端子１３ａと第１の終端側端子１３ｂは正しく接続され第２の監視側端子１３ｃと第２の終端側端子１３ｄが逆に接続された状態及び第１の監視側端子１３ａと第１の終端側端子１３ｂとが逆に接続され第２の監視側端子１３ｃと第２の終端側端子１３ｄが正しく接続された状態のように、図中左右逆に接続された状態、所謂「左右逆接続」されたとする。
【００５５】
この場合、接続状態は誤接続であるため、通常であれば監視装置２０において正しい状態判別処理が実施されることはない。しかしながら、本発明の検知センサ１０は、図２に示すように第３の内部配線１３ｇを中心として第２スイッチング手段１６と第３スイッチング手段１７がと対称に直列接続されているため、左右の接続が入れ替わったとしても回路構成として正常接続時と同様に機能し、通常状態、短絡状態及び断線状態の３つの状態を正確に判別することができる。
【００５６】
＜上下逆接続時の判別処理＞
図４に示すように、上下逆接続された検知センサ１０は、第１の監視側端子１３ａと第１の終端側端子１３ｂの接続方向が正しい状態で第２の信号線Ｓ２と接続され、第２の監視側端子１３ｃと第２の終端側端子１３ｄの接続方向が正しい状態で第１の信号線Ｓ１と接続されている。
つまり、図４に示す上下逆接続は、図２に示す接続状態において、第１の監視側端子１３ａと第１の終端側端子１３ｂのペアと、第２の監視側端子１３ｃと第２の終端側端子１３ｄのペアとを上下逆に誤接続された状態である。
【００５７】
（通常状態）
通常状態のときは、第１スイッチング手段１５がＯＦＦ状態となり、第２スイッチング手段１６及び第３スイッチング手段１７がＯＮ状態となるため、第１の内部配線１３ｅ、第２の内部配線１３ｆは導通し、第３の内部配線１３ｇは導通しない。
そして、この通常状態において、監視用電圧が＋端子２０ａに印加されると、図５（ａ）に示すように、図中太矢印方向に沿って＋端子２０ａからショットキーダイオード１５ａを経由し、第３スイッチング手段１７を通過して−端子２０ｂへと電流（図中の一点鎖線矢印）が流れる。つまり、第１スイッチング手段１５はＯＦＦ状態であるが、誤接続となる上下逆接続によってショットキーダイオード１５ａのカソードが第２の内部配線１３ｆ側に向いてしまうことで短絡状態と同様の経路で電流が流れることになる。
【００５８】
監視装置２０は、このときの両端電圧を検出し、予め設定される状態判別用閾値と照合して現在のシステム状態が短絡状態であると判別するため、検知センサ１０が誤接続されていることが認識可能となる。
【００５９】
（短絡状態）
短絡状態のときは、第１スイッチング手段１５がＯＮ状態となり、第２スイッチング手段１６及び第３スイッチング手段１７がＯＮ状態となるため、第１の内部配線１３ｅ、第２の内部配線１３ｆ及び第３の内部配線１３ｇは共に導通される。
そして、この短絡状態において、監視用電圧が＋端子２０ａに印加されると、図５（ｂ）に示すように、図中太矢印方向に沿って＋端子２０ａから第３スイッチング手段１７を経由し、第１スイッチング手段１５を通過して−端子２０ｂへと電流（図中の一点鎖線矢印）が流れる。
【００６０】
監視装置２０は、このときの両端電圧を検出し、予め設定される状態判別用閾値と照合して現在のシステム状態が短絡状態であると判別する。
【００６１】
（断線状態）
断線状態のときは、第１スイッチング手段１５がＯＦＦ状態となり、第２スイッチング手段１６及び第３スイッチング手段１７もＯＦＦ状態となるため、第１の内部配線１３ｅ、第２の内部配線１３ｆ及び第３の内部配線１３ｇは共に導通しない。
そして、この断線状態において、監視用電圧が＋端子２０ａに印加されると、図５（ｃ）に示すように、第１スイッチング手段１５、第２スイッチング手段１６、第３スイッチング手段１７が共にＯＦＦ状態となり電流が流れない。また、検知センサ１０が取り外されたような状態で人体が検知されると、第１スイッチング手段１５はＯＮ状態となるが、第２スイッチング手段１６や第３スイッチング手段１７がＯＦＦ状態となるため、電流は流れない。
【００６２】
監視装置２０は、このときの両端電圧を検出し、予め設定される状態判別用閾値と照合して現在のシステム状態が断線状態であると判別する。
【００６３】
このように、上下逆接続で接続された検知センサ１０では、短絡状態、断線状態については正しく判別されるが、通常状態については短絡状態と判断される。よって、システム導入後は、監視空間内に人体が存在しなくても常に人体検知された状態となってしまうため、作業者は監視装置２０の判別結果に基づき、検知センサ１０が誤接続されていると判断することができる。
【００６４】
なお、図示しないが、図２に示す正常接続において、第１の監視側端子１３ａと第２の監視側端子１３ｃが上下逆に接続され、第１の終端側端子１３ｂと第２の終端側端子１３ｄとが正しく接続されたとする。
この場合、通常状態において、＋端子２０ａからショットキーダイオード１５ａを経由し、第３スイッチング手段１７を通過して−端子２０ｂへと電流が流れるため、短絡状態と同様の経路で電流が流れてしまう。
よって、監視装置２０において、現在のシステム状態が短絡状態であると判別され、検知センサ１０が誤接続されていることが認識可能となる。
【００６５】
また、第１の監視側端子１３ａと第２の監視側端子１３ｃは正しく接続され第１の終端側端子１３ｂと第２の終端側端子１３ｄが逆に接続された上下逆接続されたとする。
この場合、通常状態において、電流は＋端子２０ａから第１の内部配線１３ｅを通って後段の検知センサ１０における第２の監視側端子１３ｃへ向かい、第３スイッチング手段１７を経由してショットキーダイオード１５ａを通って第１の監視側端子１３ａへと向かう。そして、この電流は、誤接続された第２の終端側端子１３ｄを通って第３スイッチング手段１７、第２スイッチング手段１６へと進み、最終的に−端子２０ｂへと流れることになる。
よって、誤接続された検知センサ１０では通常状態のまま電流が流れてしまうが、監視装置２０によって後段の検知センサ１０が短絡状態であると判別されるため、検知センサ１０の誤接続されていることが認識可能となる。
【００６６】
＜斜め逆接続時の判別処理＞
図６に示すように、斜め逆接続された検知センサ１０は、第１の終端側端子１３ｂと第２の監視側端子１３ｃがそれぞれ正しい状態で接続され、第１の監視側端子１３ａと第２の終端側端子１３ｄが入れ替わった状態で接続されている。すなわち、図６に示す斜め逆接続は、図２に示す接続状態において、第１の監視側端子１３ａと第２の終端側端子１３ｄとが入れ替わって誤接続された状態である。
【００６７】
（通常状態）
通常状態のときは、第１スイッチング手段１５がＯＦＦ状態となり、第２スイッチング手段１６及び第３スイッチング手段１７がＯＮ状態となるため、第１の内部配線１３ｅ、第２の内部配線１３ｆは導通し、第３の内部配線１３ｇは導通しない。
そして、この通常状態において、監視用電圧が＋端子２０ａに印加されると、図７（ａ）に示すように、図中太矢印方向に沿って＋端子２０ａから第２スイッチング手段１６を経由し、第３スイッチング手段１７を通過して−端子２０ｂへと電流（図中の一点鎖線矢印）が流れる。つまり、第１スイッチング手段１５はＯＦＦ状態であるが、誤接続となる斜め逆接続によって第２スイッチング手段１６と第３スイッチング手段１７との間の第２の内部配線１３ｆを辿って短絡状態と同様の経路で電流が流れることになる。
【００６８】
監視装置２０は、このときの両端電圧を検出し、予め設定される状態判別用閾値と照合して現在のシステム状態が短絡状態であると判別するため、検知センサ１０が誤接続されていることが認識可能となる。
【００６９】
（短絡状態）
短絡状態のときは、第１スイッチング手段１５がＯＮ状態となり、第２スイッチング手段１６及び第３スイッチング手段１７がＯＮ状態となるため、第１の内部配線１３ｅ、第２の内部配線１３ｆ及び第３の内部配線１３ｇは共に導通される。
そして、この短絡状態において、監視用電圧が＋端子２０ａに印加されると、図７（ｂ）に示すように、図中太矢印方向に沿って＋端子２０ａから第２スイッチング手段１６を経由し、第３スイッチング手段１７を通過して−端子２０ｂへと電流（図中の一点鎖線矢印）が流れる。つまり、上述した通常状態と同様に、第１スイッチング手段１５はＯＮ状態であるが、誤接続となる斜め逆接続によって第２スイッチング手段１６と第３スイッチング手段１７との間の第２の内部配線１３ｆを辿って短絡状態と同様の経路で電流が流れることになる。
【００７０】
監視装置２０は、このときの両端電圧を検出し、予め設定される状態判別用閾値と照合して現在のシステム状態が短絡状態であると判別する。
【００７１】
（断線状態）
断線状態のときは、第１スイッチング手段１５がＯＦＦ状態となり、第２スイッチング手段１６及び第３スイッチング手段１７もＯＦＦ状態となるため、第１の内部配線１３ｅ、第２の内部配線１３ｆ及び第３の内部配線１３ｇは共に導通しない。
そして、この断線状態において、監視用電圧が＋端子２０ａに印加されると、図７（ｃ）に示すように、第１スイッチング手段１５、第２スイッチング手段１６、第３スイッチング手段１７が共にＯＦＦ状態となり電流が流れない。また、検知センサ１０が取り外されたような状態で人体が検知されると、第１スイッチング手段１５はＯＮ状態となるが、第２スイッチング手段１６や第３スイッチング手段１７がＯＦＦ状態となるため、電流は流れない。
【００７２】
監視装置２０は、このときの両端電圧を検出し、予め設定される状態判別用閾値と照合して現在のシステム状態が断線状態であると判別する。
【００７３】
このように、斜め逆接続で接続された検知センサ１０では、短絡状態、断線状態については正しく判別されるが、通常状態については短絡状態と判断される。よって、システム導入後は、監視空間内に人体が存在しなくても常に人体検知された状態となっているため、作業者は監視装置２０の判別結果に基づき、検知センサ１０が誤接続されていると判断することができる。
【００７４】
なお、図示しないが、図２に示す正常接続において、第１の監視側端子１３ａと第２の終端側端子１３ｄがそれぞれ正しい状態で接続され、第１の終端側端子１３ｂと第２の監視側端子１３ｃが入れ替わって誤接続された斜め逆接続されたとする。
この場合、通常状態、短絡状態及び断線状態の何れであっても、電流は、＋端子２０ａから第１の内部配線１３ｅを通って−端子２０ｂへと流れる。つまり、監視装置２０において現在のシステム状態が常に短絡状態であると判別され、検知センサ１０が誤接続されていることが認識可能となる。
【００７５】
なお、上述した３つの接続状態において停電状態（電源部が電池切れの状態）となった場合は、制御部１４から各スイッチング手段１５〜１７へ制御信号が出力されなくなる。そのため、監視装置２０は、上述したような各接続状態における断線状態と同様、システムが断線状態であると判別する。
【００７６】
以上説明したように、上述した監視システム１は、監視装置２０と終端抵抗３０との間に接続される第１の信号線Ｓ１と第２の信号線Ｓ２に１つ以上並列接続される検知センサ１０であって、第１の監視側端子１３ａと第１の終端側端子１３ｂとの間の第１の内部配線１３ｅと、第２の監視側端子１３ｃと第２の終端側端子１３ｄとの間の第２の内部配線１３ｆとの間に接続される第３の内部配線１３ｇに直列接続され、監視空間の状態変化を検知したときにＯＮする第１スイッチング手段１５と、第１の内部配線１３ｅ又は第２の内部配線１３ｆに対して第３の内部配線１３ｇを中心として対称に直列接続され、機器異常を検知したときにＯＦＦする第２スイッチング手段１６及び第３スイッチング手段１７とを含む状態判別用回路１３を備えている。
【００７７】
このため、信号線Ｓに対する検知センサ１０の各接続端子（第１の監視側端子１３ａ、第１の終端側端子１３ｂ、第２の監視側端子１３ｃ、第２の終端側端子１３ｄ）が誤接続された場合に、監視装置２０によって配線接続時の誤接続の検出精度を高めて監視空間における状態変化や機器異常の誤検知を抑制することができる。
【００７８】
また、第１〜第３スイッチング手段１５〜１７をＦＥＴ（電界効果トランジスタ）とすることで、消費電力を抑えつつ、検知センサ１０の小型化を図ることができるようになる。特に、検知センサ１０のような内部電源によって駆動する機器の場合に有効である。
【００７９】
さらに、第１スイッチング手段１５のドレインが第１の内部配線１３ｅと接続されるとともにソースが第２の内部配線１３ｆに接続され、第２スイッチング手段１６と第３スイッチング手段１７のソース同士が接続された回路構成であるため、例えば第１の監視側端子１３ａ、第１の終端側端子１３ｂ、第２の監視側端子１３ｃ、第２の終端側端子１３ｄのうち何れかのペアが左右逆接続の場合であっても、正常接続されたシステムと同様の監視機能を有する。
【００８０】
また、カソードが第１の内部配線１３ｅ側に向いた状態で第１スイッチング手段１５に並列接続されるショットキーダイオード１５ａを備えているため、例えば第１の監視側端子１３ａと第１の終端側端子１３ｂのペアと、第２の監視側端子１３ｃと第２の終端側端子１３ｄのペアとを上下逆に誤接続された状態であっても、＋端子２０ａからショットキーダイオード１５ａを経由し、第３スイッチング手段１７を通過して−端子２０ｂへと電流が流れることで、監視装置２０によって信号線Ｓに対する検知センサ１０の各接続端子（第１の監視側端子１３ａ、第１の終端側端子１３ｂ、第２の監視側端子１３ｃ、第２の終端側端子１３ｄ）の誤接続を検知することができる。
【符号の説明】
【００８１】
１…監視システム
１０…検知センサ
１１…状態変化検知手段
１２…異常検知手段
１３…状態判別用回路（１３ａ…第１の監視側端子、１３ｂ…第１の終端側端子、１３ｃ…第２の監視側端子、１３ｄ…第２の監視側端子、１３ｅ…第１の内部配線、１３ｆ…第２の内部配線、１３ｇ…第３の内部配線）
１４…制御部
１５…第１スイッチング手段（１５ａ…ショットキーダイオード）
１６…第２スイッチング手段
１７…第３スイッチング手段
２０…監視装置（２０ａ…＋端子、２０ｂ…−端子）
２１…電源供給部
２２…判別処理部
２３…表示部
２４…報知部
２５…操作設定部
２６…通信部
３０…終端抵抗
Ｓ…信号線（Ｓ１…第１の信号線、Ｓ２…第２の信号線）
【図１】
0006652769.tif 000002
【図２】
0006652769.tif 000003
【図３】
0006652769.tif 000004
【図４】
0006652769.tif 000005
【図５】
0006652769.tif 000006
【図６】
0006652769.tif 000007
【図７】
0006652769.tif 000008
【図８】
0006652769.tif 000009